(57)【特許請求の範囲】
【請求項１】
複数のチューナを有するデジタル放送受信機において、
一のチューナを使用して放送番組の視聴を行うとともに、
放送との契約情報を記憶するＩＣカードからの通電制御指示により、前記ＩＣカードへのＥＭＭ受信処理を他のチューナを使用して実施し、
前記他のチューナを使用して放送番組の視聴を行う場合には、前記ＥＭＭ受信処理を中断し、放送番組の前記視聴の終了後にＥＭＭ受信処理を中断前の状態から再開する
ことを特徴とするデジタル放送受信機の通電制御処理システム。
【請求項２】
請求項１に記載のデジタル放送受信機の通電制御処理システムにおいて、
複数の放送事業者からの指示を記録した前記ＩＣカードからの複数の通電制御指示があった場合には、各放送事業者に対応するＥＭＭ受信処理を複数の他のチューナを同時に使用して実施する
ことを特徴とするデジタル放送受信機の通電制御処理システム。
【請求項３】
複数のチューナを有するデジタル放送受信機において、
複数の放送事業者からのＥＭＭ受信の指示が重複した場合、ユーザー操作による電源オフ後に、複数のチューナを使用して前記放送事業者別のそれぞれのＥＭＭ受信処理を同時に実施する
ことを特徴とするデジタル放送受信機の通電制御処理システム。
【発明の詳細な説明】
【０００１】
【発明の属する技術分野】
本発明は、有料放送を受信するデジタル放送受信機において一般的に実施されているＩＣカードへの個別情報を確実に受信するための通電制御動作を改善する受信機処理に関する。
【０００２】
【従来の技術】
近年、ＣＳおよびＢＳにおけるデジタル放送が開始され、また、地上波やＣＡＴＶにおいてもデジタル化の方向で検討されている。これらデジタル放送においては映像、音声、データの各コンテンツを有料として提供するサービスも既に実施されている。
【０００３】
有料のサービスにおいてはそのデジタルデータに例えばＭＵＬＴＩ２等の暗号化を施し、契約した（お金を払った）ユーザーのみがこれを受信できるようなシステムとなっている。契約の有無は受信機に装着されたＩＣカードにサービスごとに多重されたＥＣＭと呼ばれる鍵情報を含んだデータを送り、その応答によって判断する。正規に契約をしているユーザーの場合、ＩＣカードから上述した暗号を解くための鍵が取得できる。ＩＣカードにはユーザーの契約情報が予め蓄積されており、この契約情報とサービスを選択した時に放送波から取得するＥＣＭによって契約の有無が判断される。
【０００４】
ＩＣカードに蓄積されている契約情報は、サービスを提供する有料放送事業者がそのサービスを伝送するＴＳ（トランスポートストリーム）においてＥＭＭと呼ばれる個別情報として多重することにより、各ＩＣカード宛に伝送される。このＥＭＭを受信機ではＩＣカードから得られるカード番号によってフィルタリングして該当するＥＭＭのみをＩＣカードに送ってＩＣカード内の不揮発性メモリ領域に保存する。
【０００５】
このＥＭＭの送信はまず、ユーザーが最初に該当するサービスを契約する時に放送波に多重されて伝送される。上述したように一般的にはこのＥＭＭがサービスを提供するＴＳに多重されており、ユーザーはそのＴＳを選局することにより自動的に（実際にはある時間の待ち時間が必要）取得してＩＣカードに送ることができる。
【０００６】
ＩＣカードに蓄積された契約情報には契約の期限が含まれており、ユーザーが継続を希望する場合はその期限の数週間もしくは数日前から契約期限を更新するためのＥＭＭを有料放送事業者がＴＳに多重して放送する。この期間中、ＩＣカードはＥＭＭの受信を指示するためのフラグとそのＥＭＭが多重されているＴＳの番号等を受信機に通知する。受信機はこのフラグを確認した場合、従来は以下のような処理を実施して指示されたＥＭＭを確実に受信する通電制御を行っていた。
【０００７】
ＩＣカードからＥＭＭ受信の指示があった場合、受信機ではユーザー操作の電源ＯＦＦ（リモコンによる場合と受信機前面のスイッチＳＷによる場合がある）時に指定されたＴＳを選局し、指定の時間受信機内の必要な電源を通電したままにする。この時、例えば受信機前面の電源ランプ等はＯＦＦの状態とし、また受信機からの映像、音声の出力はしないのでユーザーには見かけ上、電源が切れているように動作する。
【０００８】
受信機内では通電状態のまま指定のＴＳに多重されているＥＭＭを受信し、ＩＣカードに送る処理を通常と同様に実施する。ＩＣカードからのＥＭＭ受信指示はＥＭＭを受信するまで通知されるので、この操作はＥＭＭを受信するまで、契約期限前の数週間もしくは数日はユーザー操作の電源ＯＦＦの度に実施するよう規格化されている。
【０００９】
また、このＩＣカードからのＥＭＭ受信指示は各有料放送事業者が個々に設定可能であり、複数のＥＭＭ受信指示が重なることがある。この場合は受信機で各ＥＭＭを順次受信できるようにスケジュール管理し、時系列にＴＳの受信を変更していく処理を行う。
【００１０】
【発明が解決しようとする課題】
上述した従来の方法では、ユーザーには見かけ上、電源が切れていても受信機の内部回路は通電されており、待機時の電力は電源ＯＮ時とほとんど変わらず、消費電力が増えてしまう。また、頻繁に電源ＯＮ／ＯＦＦを繰り返す場合には確実に指定のＥＭＭを受信することができないという課題が生じる。
【００１１】
また、複数のＥＭＭ受信指示が重なった場合には時系列にＴＳ受信を変更する必要があり、必要な内部回路の通電時間が長大になって、結果的に消費電力が増えてしまう。
【００１２】
本発明の目的は、ＩＣカードへの契約情報書き込みにおけるＥＭＭ受信のための通電制御処理について、消費電力の低減と通電制御の処理時間の短縮を図ることにある。
【００１３】
【課題を解決するための手段】
前記課題を解決するために、本発明は次のような構成を採用する。
複数のチューナを有するデジタル放送受信機において、
一のチューナを使用して放送番組の視聴を行うとともに、
放送との契約情報を記憶するＩＣカードからの通電制御指示により、前記ＩＣカードへのＥＭＭ受信処理を他のチューナを使用して実施し、
前記他のチューナを使用して放送番組の視聴を行う場合には、前記ＥＭＭ受信処理を中断し、放送番組の前記視聴の終了後にＥＭＭ受信処理を中断前の状態から再開する構成とする。
【００１６】
また、前記デジタル放送受信機の通電制御処理システムにおいて、複数の放送事業者からの指示を記録した前記ＩＣカードからの複数の通電制御指示があった場合には、各放送事業者に対応するＥＭＭ受信処理を複数の他のチューナを同時に使用して実施する構成とする。
【００１７】
また、複数のチューナを有するデジタル放送受信機において、
複数の放送事業者からのＥＭＭ受信の指示が重複した場合、ユーザー操作による電源オフ後に、複数のチューナを使用して前記放送事業者別のそれぞれのＥＭＭ受信処理を同時に実施するデジタル放送受信機の通電制御処理システム。
【００１８】
【発明の実施の形態】
本発明の実施形態に係るデジタル放送受信機における通電制御処理システムについて、図面を用いて以下説明する。図１はデジタル放送受信機の代表的な構成を示すブロック図であり、図２は２つのチューナを有するデジタル放送受信機の代表的な構成を示すブロック図であり、図３は従来技術における通電制御の処理を示すフローチャートであり、図４は本発明の第１の実施形態における通電制御の処理を示すフローチャートである。
【００１９】
ここで、本実施形態では簡単化のために衛星デジタル放送の場合を例示して説明するが、地上波デジタル放送等の他メディアにおいても受信アンテナ、コンバータ部が変わるだけで、以降のブロックについては同様の回路構成となり、同様の効果を得ることができる。また、図２では２つのチューナを持つ受信機について記載しており、本実施形態についてもこれを説明する形式を取るが、３つ以上のチューナを持つ受信機についても基本的に同様の効果を得ることができる。
【００２０】
図１には衛星デジタル放送受信機の代表的構成を示しており、機種によっては構成等が若干異なる場合もあるが、基本的な処理内容は同一である。図１に従って衛星デジタル放送受信機の機能を以下説明する。
【００２１】
アンテナ１０１で受信された電波は所要の周波数帯にダウンコンバートされたのち、デジタル放送受信機１０８に入力される。チューナ部１０２ではユーザーの選局によりＣＰＵｌ０６から指示された周波数に同調し、８ＰＳＫなどのデジタル復調、伝送デスクランブル、デインターリーブ、誤り訂正等の処理が行なわれた後、ユーザー選局によるサービスを伝送する伝送スロットの選択（ＣＰＵｌ０６から指示）が行なわれる。
【００２２】
デスクランブル部１０３では有料放送などにおける限定受信のための暗号化されたデータを復号する。この時用いられる復号化のためめ鍵情報はＩＣカード１０７から取得し、それをＣＰＵｌ０６によってデスクランブル部１０３に与える。続くデータ分離部１０４では、ＭＰＥＧ規格によって定義されたトランスポートストリームからユーザーが選択したサービス（映像・音声・データ等）を分離する。
【００２３】
分離された各サービス（エレメンタリストリーム）は映像・音声についてはＭＰＥＧ復号部１０５に送られ、ＭＰＥＧによる復号処理を行なって映像出力端子および音声出力端子から出力される。また、データサービスについてはデータ出力端子から出力され、各サービスで必要なデータ処理が行なわれる。
【００２４】
引き続き、複数のチューナを有する受信機の場合の基本動作について図２に基づいて説明する。このような構成の受信機については既に特開平１１−１５５１３９号公報等で公知である。図２では説明の簡単化のために２つのチューナを有する受信機について説明するが、３つ以上のチューナを有する場合においても基本的な処理手順に変わりはない。また、デバイス技術の進展などにより複数のブロックを１つにまとめることも可能となるであろうが、処理の手順は同一であり、このような場合でも本発明の範囲に含まれることは言うまでもない。
【００２５】
アンテナ２０１で受信された電波は所要の周波数帯にダウンコンバートされたのち、デジタル放送受信機２１２に入力される。この入力信号を受信機内において分割し、それぞれ別の処理経路に送る。第１チューナ部２０２および第２チューナ部２０３ではユーザーの選局によりＣＰＵ２１０から指示された周波数に同調し、８ＰＳＫなどのデジタル復調、伝送デスクランブル、デインターリーブ、誤り訂正等の処理が行なわれた後、ユーザー選局によるサービスを伝送する伝送スロットの選択（ＣＰＵ２１０から指示）が行なわれる。この場合、ユーザーが視聴のために使用する処理経路が第１の経路の場合には第２の経路では特に処理を実施しない。例えば裏番組録画や２画面表示を実施するような場合には以下説明する第１経路での処理と同様の動作を行う。ここでは第２の処理経路での動作説明は省略する。
【００２６】
第１デスクランプル部２０４では有料放送などにおける限定受信のための暗号化されたデータを復号する。この時用いられる復号化のための鍵情報はＩＣカード２１１から取得し、それをＣＰＵ２１０によって第１デスクランブル部２０４に与える。続く第１データ分離部２０６ではＭＰＥＧ規格によって定義されたトランスポートストリームからユーザーが選択したサービス（映像・音声・データ等）を分離する。分離された各サービス（エレメンタリストリーム）は映像・音声については第１ＭＰＥＧ復号部２０８に送られ、ＭＰＥＧによる復号処理を行なって映像出力端子および音声出力端子から出力される。また、データサービスについてはデータ出力端子から出力され、各サービスで必要なデータ処理が行なわれる。
【００２７】
次に、従来技術における通電制御方式について説明する。従来技術における通電制御の処理を示すフローチャートを図３に示す。デジタル放送では有料視聴のための契約情報をＩＣカードに記録し、視聴の可否を判定する方法を実施している。契約をしている場合には放送波から得られるＥＣＭと呼ばれる鍵情報のデータをＩＣカードに入力することにより、デスクランブルのために必要な鍵が得られる。この鍵をデスクランブラ部に設定することで映像、音声等のデータを復号し、ユーザーに提示する。このＩＣカード内に記録する契約情報はＥＭＭと呼ばれる個別情報（ＩＣカード番号によってフィルタリング）を放送波から取得し、これをＩＣカードに入力することで記録できる。
【００２８】
一般に、このＥＭＭ（個別情報）は有料放送を運用する事業者がトランスポートストリーム（以下ＴＳ）に多重して放送しており、ユーザーは契約を希望する有料放送事業者に電話するなどの方法で連絡し、そのユーザーのＩＣカード番号宛に放送する。最初の契約時には有料放送を行うサービスを一定時間視聴することで受信機は該当するＥＭＭを受信することができる。ＩＣカードに記録される契約情報にはそのユーザーが契約した契約内容のほかにこの契約の有効期限が記録されている。通常、ユーザーは契約の中断を申し出ない限りは継続の扱いとなるが、この時継続のためにＩＣカードの契約期限データの書き換えを実施する必要がある。
【００２９】
有料放送事業者は契約期限の数日もしくは数週間前からこのＩＣカード宛に契約期間の延長を内容とするＥＭＭを送信する。ユーザーがこの有料放送サービスを何らかの形で選局し、一定時間視聴すればこのＥＭＭを受信することができるが、ＥＭＭが送信されている期間にこの有料放送サービスを選局しなかった場合はＥＭＭが受信できず、結果的にＩＣカードに記録された契約期限後には有料放送のデスクランブルができなくなってしまう。こんもような事態を回避する手法として通電制御方式が用いられている。
【００３０】
契約期限の数日から数週間前の、ＥＭＭが送信されている期間にＩＣカードからの指示により、ユーザーがリモコン等で電源をＯＦＦする時に契約期限が迫っている有料放送サービスを実施しているＴＳを選局し、ＥＭＭを受信できるようにする。ＩＣカードからの通電制御指示の確認は電源ＯＮ時もしくはＩＣカードの挿入時に通電制御情報取得コマンドをカードに入力することで得られる。
【００３１】
通電制御処理は見かけ上、ユーザーには見えないように受信機の必要部のみを通電して行うもので、例えば受信機の前面パネルの電源ランプはＯＦＦ状態、映像、音声の出力は出さないようにしている。この通電はＩＣカードから指示されるが、その処理を実施するＴＳ番号や通電の時間等もこの指示により得て、受信機はこれを実施する。例えば複数の有料放送事業者の指示が重複するような場合には、時系列に処理し、確実にＥＭＭを受信できるようにする。ＥＭＭが通電時間中に受信できなかったときには、ＥＭＭが送出されている期間においてユーザーが電源ＯＦＦの操作を行うたびに指定の通電制御を行う。
【００３２】
従来技術の通電制御においてはユーザーが電源ＯＦＦの操作を行った後、ユーザーに認知されない状況で処理を実施する。そのため待機状態にも関わらず回路に電流が流れており、ユーザーにとっては余計な電力が消費されていることになる。また、ハードウェア構成にしても通電制御のために電源を別系統で用意する必要があって、非常に煩雑である。
【００３３】
以上説明したような不具合を改善する手法として、本発明の第１の実施形態に係る通電制御動作の改善手法を以下に説明する。受信機の構成としては図２に示すような複数のチューナを備えたものである。本発明の第１の実施形態に係る通電制御処理を説明するためのフローチャートを図４に示す。
【００３４】
本発明の第１の実施形態において、図４を参照して、電源ＯＮ時もしくはＩＣカード挿入時に、受信機ではＩＣカードに対し通電制御情報確認コマンドを発行し、ＥＭＭを受信するための通電制御が必要か否かを確認する。カード応答で通電制御が指示された場合、本実施形態では受信機の第２のチューナを通る処理経路がユーザーの視聴等（裏番組の録画、２画面表示等）に現在使用されているかを確認する。この処理経路が使用中の時は定期的にこの使用状態を確認し、未使用を確認した後、以下の処理を続ける。
【００３５】
第２の処理経路が未使用の場合、ＩＣカードからの応答で得られた通電制御情報で指定されたＴＳを選局する。この選局は同じく通電制御情報で指定された時間、継続する。この時間中にユーザー操作等で第２の処理経路を使用する場合はそれを優先し、ＥＭＭ受信のためのＴＳ選局は中断する。指定時間においてＥＭＭを受信した場合は通常の処理と同様にＩＣカードにこれを入力することでカード内の契約情報は書き換えられる。ＥＭＭの受信の有無に関係なく指定時間が経過した場合には他の有料放送事業者からの通電制御指示があるかどうかを確認し、ある場合には上記同様にＴＳを選局し、指定時間の間この状態を保持する。
【００３６】
このような処理によってユーザー操作の電源ＯＦＦ後に行っていた処理をユーザーの視聴中に行ってしまうので、待機電力を軽減することができる。
【００３７】
次に、本発明の第２の実施形態に係る通電制御処理システムについて図５を用いて説明する。第２の実施形態は、指定時間が経過する前にユーザー操作により第２のチューナ処理経路を視聴のために使用する場合の対処手法である。図５に処理のフローチャートを示し、ハードウェアは図２に記した構成である。この場合は当然ユーザー操作を優先しなくてはならない。この操作が実行された時、受信機ではそれまでに指定のＴＳを受信していた受信時間を受信機内に記録しておく。その上で一旦、指定のＴＳの選局処理は中断する。
【００３８】
その後、定期的に第２のチューナ処理経路の使用状態を確認し、このユーザー処理が終了した（第２のチューナ処理経路が未使用になる）時には、受信機内に記録しておいた選局時間をＩＣカードから指示された指定時間から減算する。そしてこの残り時間だけ指定されたＴＳの選局を行うことで、ＥＭＭの受信処理を完了することができる。その後は、上記した処理同様に他の有料放送事業者からの通電制御指示があるかどうかを確認し、必要ならさらに処理を続行する。
【００３９】
次に、本発明の第３の実施形態に係る通電制御処理システムについて図６を用いて説明する。第３の実施形態は、指定時間が経過する前にユーザー操作の電源ＯＦＦが行われた場合の対処手法である。図６にその処理のフローチャートを示し、ハードウェアは図２に記した構成である。
【００４０】
この場合、ＥＭＭ受信処理に必要な回路以外の通電を中止した上で、それまでに受信した指定ＴＳの選局時間をカード指示の時間から減算した残りの時間だけ従来のような手法での通電制御を実施する。当然、他の有料放送事業者の通電制御指示がある場合は、必要な通電制御を続行し、すべて終了した時点で回路の通電を終了する。この場合でも電源ＯＦＦ後の通電制御時間を短くできるので有益である。
【００４１】
次に、本発明の第４の実施形態に係る通電制御処理システムについて図７と図８を用いて説明する。第４の実施形態は、複数の有料放送事業者からの通電制御指示があった場合の対処手法である。図７にその処理のフローチャートを示しており、３つのチューナを有するデジタル放送受信機について説明しているが、本実施形態はチューナの数に限定されるものではない。本実施形態のハードウェアは図８に記した構成である。
【００４２】
まず、第１の実施形態と同様に電源ＯＮ時あるいはＩＣカード挿入時にＩＣカードに対して通電制御情報取得コマンドを発行してカードからの通電制御指示を確認する。
【００４３】
ここで複数の有料放送事業者からの通電制御指示があり、第１のチューナのみを視聴等のために使用している場合、受信機ではカード指示された通電制御のために指定のＴＳ選局の内の１つを第２のチューナにて実行する。同時に、第３のチューナを使用してその他の通電制御のために指定されたＴＳ選局を実行する。これらの選局はそれぞれカードから指示された受信時間実行する。
【００４４】
この受信時間中にＥＭＭを受信したら、このデータをＩＣカードに転送する。
それぞれの受信時間が終了したら、カード指示のＴＳ選局が他にある場合、さらに指定のＴＳ選局を実施する。この動作を繰り返して、すべての指定ＴＳ選局が終了したら、処理を終える。
【００４５】
３つ以上のチューナを有する場合も同様で、同時に複数の指定ＴＳ選局を実施する。この発明により、短時間でＩＣカードから指示されるＥＭＭ受信のためのＴＳ選局を終了することができる。
【００４６】
次に、本発明の第５の実施形態に係る通電制御処理システムについて図９を用いて説明する。第５の実施形態は、有料放送事業者からのＥＭＭ受信のためのＩＣカード指示を受信機内メモリに記録しておき、ユーザー操作等による電源ＯＦＦ時に前記メモリに記録したＩＣカード指示を確認して通電制御指示があった場合の処理手法である。図９にその処理のフローチャートを示しており、ここでは２つのチューナを有するデジタル放送受信機について説明するが、本実施形態はチューナの数に限定されるものではない。本実施形態のハードウェアは図２に記した構成である。
【００４７】
まず、受信機では電源ＯＮ時もしくはカード挿入時にＩＣカードに対して通電制御情報取得コマンドを発行し、有料放送事業者からＥＭＭ受信のための指示があるかどうかを確認する。この指示内容は受信機内のメモリ領域に記録しておく。ユーザーのリモコン操作等によって電源ＯＦＦが実施された時、受信機は上記通電制御の指示有無を確認し、ない場合はそのまますべての回路通電を中止する。
【００４８】
有料放送事業者からの通電制御指示がある場合、この処理に必要な回路部以外の通電を中止した上で、第１のチューナ処理経路を用いて指定ＴＳ選局によりＥＭＭの受信処理を行う。この選局はカード指示による指定時間継続する。続いて、他の放送事業者の指示するＴＳ選局を第２のチューナ処理経路を用いて行い、ＥＭＭの受信処理を実施する。同じくこの選局は指定時間継続する。２つ以上の通電制御指示がある湯合は、上記第１および第２のチューナ処理経路による指定時間のＴＳ選局が終了した時点で、これを用いて引き続き実施する。つまり、常時２つのチューナ処理経路を同時に使用して２つの通電制御処理を行うことになる。
【００４９】
すべての通電制御が終了したらすべての回路通電を中止して処理を終了する。
このような方法を取ることで実際上、通電制御に要する時間を半減することができ、待機時の消費電力を軽減することができる。上述したように、３つ以上のチューナを有する受信機では同時に３つ以上の通電制御動作を実施できるので更に電力削減の効果が大きくなる。
【００５０】
以上説明したように、本発明の実施形態は、複数のチューナを有するデジタル放送受信機を用いて、以下に示すような通電制御処理するシステムを含むものである。即ち、ＩＣカードから指示されたＥＭＭ受信処理をユーザーが視聴等のために使用している主たるチューナ以外の従たるチューナで行い、ＥＭＭを受信してＩＣカードに送る個別情報受信システムである。
【００５１】
また、上述した個別情報受信システムにおいて、従たるチューナによるＥＭＭの受信処理を実施中にユーザー操作によってその従たるチューナを視聴等のために使用する場合、それ以前に実施したＥＭＭ受信のためのＴＳ選局時間をＩＣカードが指示する受信時間から差し引いて受信機内に記録し、ユーザー操作によって従たるチューナの使用を中止したあとで記録していた残りの受信時間だけ更にＥＭＭ受信を再開することである。
【００５２】
また、上述した個別情報受信システムにおいて、ユーザー操作によって従たるチューナを視聴等のために使用し、ＩＣカードからの指示によるＥＭＭ受信処理が完了できなかった場合、ユーザー操作の電源ＯＦＦ後、ＥＭＭの受信に必要な回路のみを通電してＥＭＭ受信を継続することである。
【００５３】
また、上述した個別情報受信システムにおいて、ＩＣカードからのＥＭＭ受信指示が複数となった場合に、ユーザーが視聴等のために使用している主たるチューナ以外の複数の従たるチューナを同時に使用してＥＭＭ受信を行い、ＩＣカードに送る個別情報受信システムである。
【００５４】
更に、ＩＣカードからのＥＭＭ受信指示が複数となった場合、ユーザー操作による電源ＯＦＦ後、すべてのチューナを同時に使用し、それぞれ異なるＴＳを選局してＥＭＭ受信処理を行うことである。
【００５５】
【発明の効果】
本発明によれば、デジタル放送の有料放送視聴に必要なＩＣカードへの契約情報書き込みにおいて実施されているＥＭＭ受信のための通電制御について、複数のチューナを有する受信機を用いてユーザーが通常視聴中に別のチューナ処理経路を使って行う。
【００５６】
これにより、従来ユーザー操作の電源ＯＦＦ後に回路通電したままで実施していた処理をなくすか、又は短縮することができ、結果的に待機時の受信機消費電力を削減することができる。
【００５７】
また、複数のチューナ処理経路を同時に使用して通電制御を実施することができ、通電制御に要する処理時間が短縮できる。
【図面の簡単な説明】
【図１】デジタル放送受信機の代表的な構成を示すブロック図である。
【図２】本発明の実施形態に適用される２つのチューナを有するデジタル放送受信機の代表的な構成を示すブロック図である。
【図３】従来技術における通電制御処理のフローチャートである。
【図４】本発明の第１の実施形態に係る通電制御処理のフローチャートである。
【図５】本発明の第２の実施形態に係る通電制御処理のフローチャートである。
【図６】本発明の第３の実施形態に係る通電制御処理のフローチャートである。
【図７】本発明の第４の実施形態に係る通電制御処理のフローチャートである。
【図８】本発明の実施形態に適用される３つのチューナを有するデジタル放送受信機の代表的な構成を示すブロック図である。
【図９】本発明の第５の実施形態に係る通電制御処理のフローチャートである。
【符号の説明】
１０１，２０１，３０１  アンテナ
１０２  チューナ部
１０３  デスクランブル部
１０４  データ分離部
１０５  ＭＰＥＧ復号部
１０６，２１０，３１５  ＣＰＵ
ｌ０７，２１１，３１４  ＩＣカード
１０８，２１２，３１６  デジタル放送受信機
２０２，３０２  第１チューナ部
２０３，３０３  第２チューナ部
２０４，３０５  第１デスクランブル部
２０５、３０６  第２デスクランブル部
２０６，３０８  第１データ分離部
２０７，３０９  第２データ分離部
２０８，３１１  第１ＭＰＥＧ復号部
２０９，３１２  第２ＭＰＥＧ復号部
３０４  第３チューナ部
３０７  第３デスクランブル部
３１０  第３データ分離部
３１３  第３ＭＰＥＧ復号部
【図１】
0003698654.tif 000002
【図２】
0003698654.tif 000003
【図３】
0003698654.tif 000004
【図４】
0003698654.tif 000005
【図５】
0003698654.tif 000006
【図６】
0003698654.tif 000007
【図７】
0003698654.tif 000008
【図８】
0003698654.tif 000009
【図９】
0003698654.tif 000010